(57)【特許請求の範囲】
【請求項１】
エッジ部の屈曲部より短径側は小さな外形寸法に、長径側は大きな外形寸法に振動板本体を形成し、この振動板本体の短径側を上記屈曲部に当接させて上記エッジ部と振動板本体を結合してなる楕円形スピーカ用振動板。
【請求項２】
エッジ部の屈曲部より短径側は小さな外形寸法に、長径側は大きな外形寸法に振動板本体を形成し、その境界部分に切り込みを設け、この切り込みで上記エッジ部を挟持して結合してなる楕円形スピーカ用振動板。
【請求項３】
磁気回路と、この磁気回路に結合されたフレームと、上記磁気回路の磁気ギャップにはめ込まれ、外周が上記フレームに結合されたダンパーの内周に結合されて保持されたボイスコイルと、内周がこのボイスコイルに結合され外周が上記フレームに結合された請求項１または２記載の楕円形スピーカ用振動板とで構成される楕円形スピーカ。
【発明の詳細な説明】
【０００１】
【発明の属する技術分野】
本発明は映像・音響機器などに使用されるスピーカ装置に用いられる楕円形スピーカ用振動板およびこれを用いた楕円形スピーカに関するものである。
【０００２】
【従来の技術】
近年、映像・音響機器などに使用されるスピーカは、スリムで高性能化が要求され、同一口径でも振動板を一回り大きくした構成の楕円形スピーカが低音の増強・高能率化を図るものとして採用されている。
【０００３】
以下、図２、図３によりこの種の従来の楕円形スピーカについて説明する。
図２は楕円形スピーカの短径側側断面図であり、図３（ａ）は同要部である楕円形スピーカ用振動板の上面図であり、図３（ｂ）は同長径側側面図、図３（ｃ）は短径側側面図である。
【０００４】
同図によると、１は磁気回路であり、ボトムプレート１ａ、マグネット１ｂ、トッププレート１ｃで構成され、トッププレート１ｃとボトムプレート１ａの間には磁気ギャップ１ｄが形成されている。
【０００５】
２はトッププレート１ｃに結合されたフレームである。３はボイスコイルであり、磁気ギャップ１ｄにはめ込まれるとともに、外周がフレーム２に結合されたダンパー７の内周に結合されて位置決め保持されている。
【０００６】
４は振動板であり、エッジ部４ａを介してフレーム２に外周が結合されるとともに内周は上記ボイスコイル３に結合されている。
【０００７】
５は錦糸線であり、ボイスコイル３と外端子６を接続するものである。
以上の構成によって、外端子６から入力した電気信号によりボイスコイル３を振動させて振動板４を振動させて発音させるものである。
【０００８】
次に、上記振動板４についてより詳細について説明すると、上記振動板４は楕円振動板といわれるものであり、エッジ部４ａのロール部分４ｂより振動板本体４ｃの外形を大きくし、エッジ部４ａと振動板本体４ｃの結合貼り合わせは全周振動板本体４ｃの下部に貼り合わせた構成となっている。
【０００９】
このように振動板本体４ｃをエッジ部４ａのロール部分４ｂよりも大きい外形とすることで低音の増強、高能率化を図るものである。
【００１０】
【発明が解決しようとする課題】
しかしながら、振動板本体４ｃとエッジ部４ａの貼り合わせは、位置決めするものがなく、また、振動板本体４ｃが図２、図３のごとくコーン形状で、貼り合わせ部分で傾斜しているため、製造が繁雑で製造コストが高く、且つ貼り合わせの信頼性に乏しく楕円形スピーカとして実使用時に両者が剥がれる恐れがあった。
【００１１】
【課題を解決するための手段】
本発明は上記課題を解決するために、エッジ部の屈曲部より短径側は小さな外形寸法に、長径側は大きな外形寸法に振動板本体を形成し、この振動板本体の短径側を上記屈曲部に当接させて上記エッジ部と振動板を結合して楕円形スピーカ用振動板を形成し、屈曲部に振動板本体を当接させることで位置決めを極めて容易にして信頼性の高い貼り合わせ結合が安価に行えるものである。
【００１２】
【発明の実施の形態】
本発明の請求項１に記載の発明は、エッジ部の屈曲部より短径側は小さな外形寸法に、長径側は大きな外形寸法に振動板本体を形成し、この振動板本体の短径側を上記屈曲部に当接させて上記エッジ部と振動板本体を結合したものであり、屈曲部に振動板本体を当接させることで位置決めを極めて容易にして貼り合わせ結合できるものである。
【００１３】
本発明の請求項２に記載の発明は、エッジ部の屈曲部より短径側は小さな外形寸法に、長径側は大きな外形寸法に振動板本体を形成し、その境界部分に切り込みを設け、上記エッジ材を挟持するように結合してなるものであり、エッジ部を振動板本体で挟み込むことで位置決めを極めて容易にして貼り合わせ結合できるものである。
【００１４】
本発明の請求項３に記載の発明は、請求項１または２記載の楕円形スピーカ振動板を用いてスピーカを構成することによって、低音の増強が図れた高品質のスピーカを提供できるものである。
【００１５】
以下、本発明の実施の形態について図１により説明する。なお、楕円形スピーカの構成は従来技術と同様であるので、説明は省略し、要部である楕円形スピーカ用振動板について説明する。
【００１６】
図１（ａ）は本発明の要部である楕円形スピーカ用振動板の上面図であり、図１（ｂ）は同長径側側面図、図１（ｃ）は短径側側面図である。同図によると、１０ａは振動板本体であり、短径側の振動板本体１０ａの外形Ｃはエッジ部１０ｂのロール部１０ｅの屈曲部１０ｃまでの内径Ｄと略同一とし、長径側の振動板本体１０ａの外形Ｆはエッジ部１０ｂの対応する屈曲部１０ｃまでの内径Ｂより大きくしたものである。
【００１７】
以上のように構成された楕円形スピーカ用振動板１０は、切り込み部１１を境にして短径側においては振動板本体１０ａをエッジ部１０ｂの下側に、長径側においては振動板本体１０ａをエッジ部１０ｂの上側に貼り合わせ結合して形成しているものである。
【００１８】
なお、このとき短径側の振動板本体１０ａの外周はエッジ部１０ｂのロール部１０ｅの屈曲部１０ｃに当接させることによって両者の貼り合わせ時の位置決めを容易に行うことができるものである。
【００１９】
また、両者の貼り合わせ時の位置決めは、切り込み部１１の切り込み寸法を規定して、この切り込み部１１にエッジ部１０ｂを突き合わせて位置決めを容易に行わせることも可能である。
【００２０】
以上のように、位置決めを容易にしたので貼り合わせ作業の繁雑さが解消され、貼り合わせの信頼性も向上するものであり、楕円形スピーカとしても低音の増強、高能率化を図った高品質のものを安価に提供できるものである。
【００２１】
【発明の効果】
本発明は以上のように振動板のエッジ部と振動板本体の貼り合わせを極めて容易に確実に行えるので、楕円形スピーカとしての低音の増強、高能率化を安価に且つ信頼性の優れたものとして提供できるものである。
【図面の簡単な説明】
【図１】（ａ）本発明の楕円形スピーカの要部である楕円形スピーカ用振動板の一実施の形態の上面図
（ｂ）同長径側側面図
（ｃ）同短径側側面図
【図２】従来の楕円形スピーカの側断面図
【図３】（ａ）同要部である楕円形スピーカ用振動板の上面図
（ｂ）同長径側側面図
（ｃ）同短径側側面図
【符号の説明】
１  磁気回路
２  フレーム
３  ボイスコイル
７  ダンパー
１０  楕円形スピーカ用振動板
１０ａ  振動板本体
１０ｂ  エッジ部
１０ｃ  屈曲部
１１  切り込み部
【図１】
0003605959.tif 000002
【図２】
0003605959.tif 000003
【図３】
0003605959.tif 000004